(57)【要約】【課題】本発明は、遠隔制御監視システムにおいて負荷機器を制御するために使用される遠隔制御スイッチ装置であって、上位ネットワークへの組み込みが簡単に行える遠隔制御スイッチ装置を提供することを目的とする。【解決手段】中央制御装置１０によって管理される下位ネットワークＮ１〜Ｎｎそれぞれに、ローカル制御装置２２が設置される。そして、下位ネットワークＮ１〜Ｎｎそれぞれのローカル制御装置２２が、ウェブサーバ２１と接続されたネットワーク制御装置２１と接続されることで、上位ネットワークであるローカルエリアネットワークＬＮから、下位ネットワークＮ１〜Ｎｎの制御及び管理がなされる。このとき、ローカルエリアネットワークＬＮに遠隔制御スイッチ装置２０が接続される。この遠隔制御スイッチ操作２０が操作されて、下位ネットワークＮ１〜Ｎｎにおける負荷機器１４が遠隔制御される。【選択図】図１
2010199777.tif 000002
【特許請求の範囲】
【請求項１】
時分割多重伝送方式による通信を行うことで負荷機器を制御する下位ネットワークと、複数の下位ネットワークそれぞれに設けられたローカル制御装置と、複数の該ローカル制御装置と通信を行って複数の前記下位ネットワーク間の通信を管理するネットワーク制御装置と、該ネットワーク制御装置と通信を行うとともにローカルエリアネットワークとの接続が可能なウェブサーバと、を備える遠隔制御監視システムにおける、遠隔制御スイッチ装置であって、
前記ローカルエリアネットワークを介した通信を行う通信インターフェースと、
外部からの操作を受け付けるスイッチ部と、
該スイッチ部で受け付けた外部操作に対応して、前記負荷機器のうちの特定の負荷機器に対する制御内容を決定し、決定した該制御内容を示す制御信号を生成する制御部と、
を備え、
前記スイッチ部が外部からの操作を受け付けたとき、前記制御部が制御信号を生成し、該制御信号を前記通信インターフェースが前記ローカルエリアネットワークを介して前記ウェブサーバに送信することを特徴とする遠隔制御スイッチ装置。
【請求項２】
請求項１において、
前記特定の負荷機器の現在の動作状態を外部に報知する報知部を、更に備え、
前記通信インターフェースが、前記ローカルエリアネットワークを介して前記ウェブサーバより前記特定の負荷機器の制御状態を示す状態通知信号を受信したとき、該状態通知信号に基づく前記特定の負荷機器の制御状態を前記報知部が報知することを特徴とする遠隔制御スイッチ装置。
【請求項３】
請求項１又は請求項２において、
前記通信インターフェースが、ローカルエリアネットワークに直接接続されるローカルエリアネットワークインターフェースであることを特徴とする遠隔制御スイッチ装置。
【請求項４】
請求項３において、
前記ローカルネットワークインターフェースを通じて、前記ローカルネットエリアネットワークより電力供給されることを特徴とする遠隔制御スイッチ装置。
【請求項５】
請求項３において、
商用電源と接続されるアダプタを、更に備え、
該アダプタを通じて、商用電源より電力供給されることを特徴とする遠隔制御スイッチ装置。
【請求項６】
請求項３において、
電池を内蔵するとともに、該電池より電力供給されることを特徴とする遠隔制御スイッチ装置。
【請求項７】
請求項３において、
ユニバーサルシリアルバス規格により接続されるユニバーサルシリアルバスインターフェースを、更に備え、
該ユニバーサルシリアルバスインターフェースを通じて、外部より電力供給されることを特徴とする遠隔制御スイッチ装置。
【請求項８】
請求項１又は請求項２において、
前記通信インターフェースが、ローカルエリアネットワークに接続された端末装置とユニバーサルシリアルバス規格により接続されるユニバーサルシリアルバスインターフェースであり、
前記端末装置を介して、前記ローカルエリアネットワークを通じた前記ウェブサーバとの通信を行うことを特徴とする遠隔制御スイッチ装置。
【請求項９】
時分割多重伝送方式による通信を行うことで負荷機器を制御する下位ネットワークと、複数の下位ネットワークそれぞれに設けられたローカル制御装置と、複数の該ローカル制御装置と通信を行って複数の前記下位ネットワーク間の通信を管理するネットワーク制御装置と、該ネットワーク制御装置と通信を行うとともにローカルエリアネットワークとの接続が可能なウェブサーバと、を備える遠隔制御監視システムであって、
請求項１乃至請求項８のいずれか一項において記載の遠隔制御スイッチ装置が、前記ローカルエリアネットワークに接続され、
該遠隔制御スイッチ装置によって受け付けられた操作に応じて、前記負荷機器のうちの特定の負荷機器が制御されることを特徴とする遠隔制御監視システム。
【発明の詳細な説明】
【技術分野】
【０００１】
本発明は、負荷機器を遠隔制御するための遠隔制御スイッチ装置に関するもので、特に、階層化されたネットワークにより構成される遠隔制御監視システムで使用される遠隔制御スイッチ装置に関する。
【背景技術】
【０００２】
従来より、照明装置又は空調装置などの負荷機器を制御する制御システムや、警報器からの警報や電気錠の開閉などを管理する管理システムなどにおいて、通信方式の異なる複数のネットワークで階層化した遠隔制御監視システムが提供されている。この遠隔制御監視システムは、負荷機器によって構成される下位ネットワークと、この下位ネットワークの複数と接続された上位ネットワークによって構成される。そして、上位ネットワークで接続された端末装置やサーバにおいて、各下位ネットワークの負荷機器の制御又は管理がなされる。
【０００３】
このような遠隔制御監視システムとして、時分割多重伝送方式による通信方式を採用した下位ネットワークによって負荷機器を制御するとともに、ローカルバスネットワークで構築された上位ネットワークによって、接続した下位ネットワークを管理又は制御するものが提供されている（特許文献１、２参照）。即ち、中央制御装置（ＣＰＵ）によって伝送管理される時分割多重伝送方式による下位ネットワークそれぞれに対して、時分割多重伝送方式によるインターフェース機能と、ローカルバスネットワークのインターフェース機能とを具備したローカル制御装置（ＬＩＵ）が設置される。この下位ネットワークそれぞれに設置されたＬＩＵとの通信を管理するためのネットワーク制御装置（ＮＣＵ）が設置される。ＮＣＵは、更に上位のネットワーク階層と接続可能なインターフェース機能を備えることで、ウェブサーバなどとして機能するホスト機器と接続される。
【０００４】
そして、特許文献１に示す遠隔制御監視システムでは、下位ネットワークで制御される負荷機器について、複数の下位ネットワークに対して一括で制御するための指示を可能とするため、ＮＣＵと通信可能なマスタスイッチ（ＭＳＷ）が設置される。ＭＳＷは、ＮＣＵによって通信が管理されるローカルバスネットワークに接続され、同じローカルバスネットワークに接続されるＬＩＵと通信を行うことで、ＬＩＵを通じて下位ネットワークにおける負荷機器の動作を制御する。
【０００５】
又、特許文献２に示す遠隔制御装置システムでは、ホスト機器をウェブサーバとし、このウェブサーバは、ウェブブラウザを搭載したパーソナルコンピュータなどの操作表示端末とローカルエリアネットワーク（ＬＡＮ）を構築する。そして、操作表示端末でウェブブラウザを利用した操作が行われることで、ウェブサーバと操作表示端末との間でＬＡＮ回線を介した通信を行い、下位ネットワークにおける負荷機器が制御される。このとき、負荷機器の状態が、下位ネットワークよりウェブサーバに伝送されるため、ウェブサーバと通信を行う操作表示端末において、各下位ネットワークにおける負荷機器の制御状態が表示される。
【先行技術文献】
【特許文献】
【０００６】
【特許文献１】特開２００４−２９５４３２号公報
【特許文献２】特開２００５−２１７５５０号公報
【発明の概要】
【発明が解決しようとする課題】
【０００７】
特許文献１に示す遠隔制御監視システムにおいて、ＭＳＷは、ローカルバスネットワークに接続して利用される構成とされている。そのため、遠隔制御監視システム内にＭＳＷを組み込む場合、ＮＣＵ及びＬＩＵによって構成されるローカルバスネットワークにＭＳＷを接続する必要がある。このことから、遠隔制御監視システムにＭＳＷを追加する場合は、ローカルバスネットワークの回線の延長や分岐などのように、回線を加工するための作業が必要となる。更には、ＭＳＷの設置場所によっては、ＭＳＷと接続するために延長した回線を被覆するなどの作業が必要となる。よって、特許文献１に示す遠隔制御監視システムでは、ＭＳＷの遠隔制御監視システムへの組み込みのための作業が繁雑であり、場合によっては、専門の業者による工事が必要となるため、利用者にとって、システムの更新が簡単なものではない。
【０００８】
それに対して、特許文献２に示す遠隔制御監視システムでは、ＬＡＮによりウェブサーバと通信可能な操作表示端末によって、下位ネットワークにおける各負荷機器の制御が可能である。そのため、特許文献２の遠隔制御監視システムは、特許文献１の遠隔制御システムと比べて、ウェブサーバへの通信を行うためのウェブブラウザなどといった、専用のソフトウェアを操作表示端末にインストールするだけでよく、システムの導入が容易である。しかしながら、操作表示端末にインストールされたソフトウェアを起動させる必要があるため、負荷機器の制御のための操作が可能な状態となるまでに時間がかかる。又、キーボードやマウスなどの操作表示端末に付属したインターフェースを利用した操作となるため、下位ネットワークに接続される監視用端末器におけるスイッチやＭＳＷにおけるスイッチを操作する場合と比べて、その操作性が面倒であり、煩雑なものとなる。
【０００９】
このような問題を鑑みて、本発明は、遠隔制御監視システムにおいて負荷機器を制御するために使用される遠隔制御スイッチ装置であって、上位ネットワークへの組み込みが簡単に行える遠隔制御スイッチ装置を提供することを目的とする。
【課題を解決するための手段】
【００１０】
上記目的を達成するために、本発明の遠隔制御スイッチ装置は、時分割多重伝送方式による通信を行うことで負荷機器を制御する下位ネットワークと、複数の下位ネットワークそれぞれに設けられたローカル制御装置と、複数の該ローカル制御装置と通信を行って複数の前記下位ネットワーク間の通信を管理するネットワーク制御装置と、該ネットワーク制御装置と通信を行うとともにローカルエリアネットワークとの接続が可能なウェブサーバと、を備える遠隔制御監視システムにおける、遠隔制御スイッチ装置であって、前記ローカルエリアネットワークを介した通信を行う通信インターフェースと、外部からの操作を受け付けるスイッチ部と、該スイッチ部で受け付けた外部操作に対応して、前記負荷機器のうちの特定の負荷機器に対する制御内容を決定し、決定した該制御内容を示す制御信号を生成する制御部と、を備え、前記スイッチ部が外部からの操作を受け付けたとき、前記制御部が制御信号を生成し、該制御信号を前記通信インターフェースが前記ローカルエリアネットワークを介して前記ウェブサーバに送信することを特徴とする。
【００１１】
このような遠隔制御スイッチ装置において、前記特定の負荷機器の現在の動作状態を外部に報知する報知部を、更に備え、前記通信インターフェースが、前記ローカルエリアネットワークを介して前記ウェブサーバより前記特定の負荷機器の制御状態を示す状態通知信号を受信したとき、該状態通知信号に基づく前記特定の負荷機器の制御状態を前記報知部が報知するものとしてもよい。
【００１２】
これらの遠隔制御スイッチ装置において、前記通信インターフェースを、ローカルエリアネットワークに直接接続されるローカルエリアネットワークインターフェースとしてもよい。
【００１３】
このとき、前記ローカルネットワークインターフェースを通じて、前記ローカルネットエリアネットワークより電力供給されるものとしてもよい。又、商用電源と接続されるアダプタを、更に備え、該アダプタを通じて、商用電源より電力供給されるものとしてもよいし、電池を内蔵するとともに、該電池より電力供給されるものとしてもよい。更に、ユニバーサルシリアルバス規格により接続されるユニバーサルシリアルバスインターフェースを、更に備え、該ユニバーサルシリアルバスインターフェースを通じて、外部より電力供給されるものとしてもよい。
【００１４】
又、前記通信インターフェースが、ローカルエリアネットワークに接続された端末装置とユニバーサルシリアルバス規格により接続されるユニバーサルシリアルバスインターフェースであり、前記端末装置を介して、前記ローカルエリアネットワークを通じた前記ウェブサーバとの通信を行うものとしてもよい。
【００１５】
本発明の遠隔制御監視システムは、時分割多重伝送方式による通信を行うことで負荷機器を制御する下位ネットワークと、複数の下位ネットワークそれぞれに設けられたローカル制御装置と、複数の該ローカル制御装置と通信を行って複数の前記下位ネットワーク間の通信を管理するネットワーク制御装置と、該ネットワーク制御装置と通信を行うとともにローカルエリアネットワークとの接続が可能なウェブサーバと、を備える遠隔制御監視システムであって、上述のいずれかの遠隔制御スイッチ装置が、前記ローカルエリアネットワークに接続され、該遠隔制御スイッチ装置によって受け付けられた操作に応じて、前記負荷機器のうちの特定の負荷機器が制御されることを特徴とする。
【発明の効果】
【００１６】
本発明によると、ローカルエリアネットワークに接続可能な構成であるため、特定の負荷機器を制御するためのスイッチ装置として遠隔制御スイッチ装置を遠隔制御監視システムに組み込む際、ローカルエリアネットワークを構成する伝送路に接続するだけでよい。そのため、特許文献１のように、負荷機器を制御するためのスイッチをネットワーク制御装置と接続する場合と比べ、ローカルエリアネットワーク上でのシステムの更新を行うだけでよい。よって、本発明の遠隔制御スイッチ装置の組み込みによる遠隔制御監視システムの更新を、従来と比べて容易にできる。
【００１７】
又、負荷機器の制御専用の遠隔制御スイッチ装置であることから、特許文献２のように、専用のソフトウェアを端末装置上で起動させる必要がなく、遠隔制御スイッチ装置を操作するだけでよい。そのため、ローカルエリアネットワークによる上位ネットワークと下位ネットワークとで構成される遠隔制御監視システムにおいて、上位ネットワークからの下位ネットワークの制御に対する操作性が、従来と比べて良くなる。
【図面の簡単な説明】
【００１８】
【図１】は、第１の実施形態における遠隔制御監視システムの構成を示すブロック図である。
【図２】は、図１の遠隔制御監視システムにおける遠隔制御スイッチ装置の内部構成を示すブロック図である。
【図３】は、図２の遠隔制御スイッチ装置の第１構成例となる装置の外観を示す図であり、（ａ）が遠隔制御スイッチ装置の上面から見た構成を、（ｂ）が遠隔制御スイッチ装置の背面から見た構成を、（ｃ）が遠隔制御スイッチ装置の端面から見た構成を示す。
【図４】は、図２の遠隔制御スイッチ装置の第２構成例となる装置の外観を示す図であり、（ａ）が遠隔制御スイッチ装置の表面から見た構成を、（ｂ）が遠隔制御スイッチ装置の背面から見た構成を示す。
【図５】は、図２の遠隔制御スイッチ装置の第３構成例となる装置の外観を示す図であり、（ａ）が遠隔制御スイッチ装置の上面から見た構成を、（ｂ）が遠隔制御スイッチ装置の背面から見た構成を、（ｃ）が遠隔制御スイッチ装置の端面から見た構成を示す。
【図６】は、図２の遠隔制御スイッチ装置の第４構成例となる装置の外観を示す図であり、（ａ）が遠隔制御スイッチ装置の表面から見た構成を、（ｂ）が遠隔制御スイッチ装置の背面から見た構成を示す。
【図７】は、図２の遠隔制御スイッチ装置の第５構成例となる装置の外観を示す図であり、（ａ）が遠隔制御スイッチ装置の上面から見た構成を、（ｂ）が遠隔制御スイッチ装置の背面から見た構成を、（ｃ）が遠隔制御スイッチ装置の端面から見た構成を示す。
【図８】は、図２の遠隔制御スイッチ装置の第６構成例となる装置の外観を示す図であり、（ａ）が遠隔制御スイッチ装置の上面から見た構成を、（ｂ）が遠隔制御スイッチ装置の背面から見た構成を、（ｃ）及び（ｄ）が遠隔制御スイッチ装置の端面から見た構成を示す。
【図９】は、第２の実施形態における遠隔制御監視システムの構成を示すブロック図である。
【図１０】は、図９の遠隔制御監視システムにおける遠隔制御スイッチ装置の内部構成を示すブロック図である。
【図１１】は、図１０の遠隔制御スイッチ装置の外観を示す図であり、（ａ）が遠隔制御スイッチ装置の上面から見た構成を、（ｂ）が遠隔制御スイッチ装置の背面から見た構成を、（ｃ）が遠隔制御スイッチ装置の端面から見た構成を示す。
【発明を実施するための形態】
【００１９】
＜第１の実施形態＞
本発明の第１の実施形態について、図面を参照して以下に説明する。図１は、本実施形態における遠隔制御監視システムの構成を示すブロック図である。図２は、図１の遠隔制御監視システムにおける遠隔制御スイッチ装置の内部構成を示すブロック図である。
【００２０】
１．遠隔制御監視システムの構成
図１に示す遠隔制御監視システムにおいて、下位ネットワークＮ１〜Ｎｎ（ｎは、自然数）が、信号線Ｌｓに時分割多重信号を周期的に出力する中央制御装置（ＣＰＵ）１０と、壁スイッチなどによる操作スイッチ１２の操作監視を行う複数の監視端末装置１１と、照明装置などの負荷機器１４を制御する制御端末装置１３とによって構成される。そして、下位ネットワークＮ１〜Ｎｎそれぞれには、信号線Ｌｓと接続されてＣＰＵ１０からの時分割多重信号を受信するローカル制御装置（ＬＩＵ）２３が設置される。このＬＩＵ２３は、下位ネットワークＮ１〜Ｎｎそれぞれにおいて、ＣＰＵ１０の端末装置として扱われるとともに、専用線Ｌｔとも接続してネットワーク制御装置（ＮＣＵ）２２と通信可能な構成とされる。又、ＮＣＵ２２は、上述のＬＩＵ２３と接続された上に、上位ネットワークにおけるウェブサーバ２１と通信線Ｌｕで接続される。
【００２１】
更に、ウェブサーバ２１は、ローカルエリアネットワークＬＮと接続し、ローカルエリアネットワークＬＮ上の端末装置と通信可能な構成となっている。そして、遠隔制御スイッチ装置２０が、ローカルエリアネットワークＬＮ上の端末装置の１つとして、遠隔制御監視システムに設置される。又、ローカルエリアネットワークＬＮには、パーソナルコンピュータなどによる端末装置２４が接続され、この端末装置２４は、ローカルエリアネットワークＬＮを通じて、ウェブサーバ２１及び遠隔制御スイッチ装置２０と通信できる。尚、ローカルエリアネットワークＬＮは、インターネット回線網とも接続されるものとして、ウェブサーバ２１に対して、インターネット回線網を通じて、遠隔制御監視システム外部からアクセスできるものとしてもよい。
【００２２】
２．下位ネットワーク
このように構成される遠隔制御監視システムにおいて、下位ネットワークＮ１〜Ｎｎはそれぞれ、２線式の信号線Ｌｓを用いた双極性（±２４Ｖ）の時分割多重信号による時分割多重伝送方式を採用している。この時分割多重伝送方式による下位ネットワークＮ１〜Ｎｎでは、上述したように、商用電源ＡＣから給電されているＣＰＵ１０より時分割多重信号が周期的に送信される。この時分割多重信号は、同期パルス、信号のモードを示すモードデータ、送信相手となる（アクセスする）端末装置（監視端末装置１１、制御端末装置１３、及びＬＩＵ２３に相当する）のアドレス（８ビット）を示すアドレスデータ、制御内容を示す制御データ、伝送誤りを検出するためのチェックサムデータ、及び、端末装置からの返信信号を返信させるためのタイムスロットである信号返送期間によって構成され、各データは、パルス幅変調によって形成される。
【００２３】
監視端末装置１１、制御端末装置１３、及びＬＩＵ２３はそれぞれ、信号線Ｌｓを介して受信した時分割多重信号のアドレスデータが、それぞれに設定されているアドレスに一致すると、その時分割多重信号の制御データの内容を解析する。又、監視端末装置１１、制御端末装置１３、及びＬＩＵ２３はそれぞれ、設定されているアドレスに一致したアドレスデータを含む時分割多重信号に対して、その信号返送期間に同期して監視データを電流モードの信号（信号線Ｌｓを適当な低インピーダンスを介して短絡することで送出される信号）として返送する。
【００２４】
尚、以下では説明を簡単にするため、各監視端末装置１１はそれぞれ、操作スイッチ１２が１つのみ設けられた構成とするとともに、各制御端末装置１３はそれぞれ、負荷機器１４が１つのみを制御する構成とする。又、視端末器１１及び制御端末器１３それぞれのアドレスは、操作スイッチ１２及び負荷機器１４それぞれに一対一で対応している必要はなく、１台の監視端末装置１１で複数の操作スイッチ１２を扱い、１台の制御端末装置１３で複数の負荷機器１４を扱うものとしてもよい。このとき、監視端末装置１１及び制御端末装置１３それぞれにおいて、その操作スイッチ１２及び負荷機器１４のそれぞれを個別に認識するために、アドレスが階層化される。即ち、監視端末装置１１及び制御端末装置１３に設定される端末用のアドレスの下位に、各操作スイッチ１２及び各負荷機器１４のそれぞれを個別に識別するための負荷番号が設定され、端末用のアドレスと負荷番号との組合せを上述のアドレスとして用いる。
【００２５】
ＣＰＵ１０は、アドレスデータによるアドレスをサイクリックに変化させた時分割多重信号を送信することで、監視端末装置１１、制御端末装置１２、及びＬＩＵ２３それぞれを順次アクセスする常時ポーリングを行う。このような常時ポーリングがなされているときに、監視端末装置１１は、操作スイッチ１２の操作により監視入力が発生すると、時分割多重信号のスタートパルスに同期して、割込信号を発生させる。この割込信号を受信したＣＰＵ１０は、割込信号を発生した監視端末装置１１を探索するための割込ポーリングを行う。このとき、割込信号を送信した監視端末装置１１は、割込ポーリングによってＣＰＵ１０に特定されると、操作スイッチ１２への操作に対応した監視データをＣＰＵ１０に返送する。
【００２６】
そして、ＣＰＵ１０は、割込信号を発生した監視端末装置１１からの監視データを獲得すると、制御テーブルに設定されたアドレスの対応関係によって監視端末装置１１に予め対応付けられている制御端末装置１３に対する制御データを生成する。その後、ＣＰＵ１０は、信号線Ｌｓを介して、この制御データと制御端末装置１３を指定するアドレスデータとを含む時分割多重信号を、制御端末装置１３に送信する。この時分割多重信号を受信した制御端末装置１３は、制御データに基づいて負荷機器１４の動作を制御する。又、制御端末装置１３は、負荷機器１４の動作状態を示す監視データをＣＰＵ１０に返送する。
【００２７】
ＣＰＵ１０は、この負荷機器１４の動作状態を示す監視データを制御端末装置１３より獲得すると、負荷機器１４に対応した操作スイッチ１２を備えた監視端末装置１１に対して、負荷機器１４の動作状態を示す制御データを含む時分割多重信号を送信する。これにより、監視端末装置１１は、その負荷機器１４に対応した操作スイッチ１２に設けた発光ダイオードを点灯／消灯させるなどして、負荷機器１４の動作状態を報知することができる。又、負荷機器１４の動作状態を示す監視データを獲得したＣＰＵ１０は、負荷機器１４の動作状態を示す制御データを含む時分割多重信号をＬＩＵ２３にも送信する。そして、ＬＩＵ２３がＮＣＵ２２と通信を行うことで、ＮＣＵ２２に、下位ネットワークＮ１〜Ｎｎそれぞれにおける各負荷機器１４の動作状態が通知される。
【００２８】
ＬＩＵ２３は、下位ネットワークＮ１〜Ｎｎにおいて、監視端末装置１１と同様の動作を行う。即ち、ＣＰＵ１０による常時ポーリングがなされているときに、専用線Ｌｔを通じて、ＮＣＵ２２より負荷機器１４を制御するための信号を受信すると、時分割多重信号のスタートパルスに同期して、割込信号を発生させる。そして、ＬＩＵ２３は、ＣＰＵ１０による割込ポーリングに応答して、ＣＰＵ１０に割込した端末装置であることを特定させた後、ＮＣＵ２２より受信した信号の内容を示す監視データをＣＰＵ１０に返送する。
【００２９】
これにより、ＣＰＵ１０が、ＮＣＵ２２によって制御対象とされる負荷機器１４を制御するための制御データを含む時分割多重信号を、制御端末装置１３に送信するため、制御対象となる負荷機器１４の動作が制御端末装置１３を介して制御される。そして、負荷機器１４の動作を制御した制御端末装置１３が、負荷機器１４の動作状態を示す監視データをＣＰＵ１０に返送する。そのため、ＣＰＵ１０は、この監視データの内容に基づく制御データを含む時分割多重信号を生成し、監視データによって確認される負荷機器１４に対応する操作スイッチ１２を備えた監視端末装置１１と、ＬＩＵ２３とのそれぞれに対して、送信する。
【００３０】
３．上位ネットワーク
上述のように下位ネットワークＮ１〜Ｎｎのそれぞれにおいて、時分割多重伝送方式によって通信を行っている各ＬＩＵ２３は、例えば、ＲＳ４８５仕様による専用線Ｌｔによって、ＮＣＵ２２と接続される。下位ネットワークＮ１〜ＮｎそれぞれにおけるＬＩＵ２３それぞれは、専用線Ｌｔを通じて、負荷機器１４を制御するための制御データをＮＣＵ２２から受信するとともに、負荷機器１４の動作状態を示す監視データをＮＣＵ２２に送信する。このように専用線Ｌｔによって接続されることでローカルバスネットワークを構築するＮＣＵ２２及びＬＣＵ２３は、商用電源ＡＣをトランスＴで降圧（例えば、２４Ｖ）した電源が供給される。
【００３１】
又、ウェブサーバ２１とＮＣＵ２２との間を接続する通信線Ｌｕは、例えば、ＲＳ２３２Ｃ仕様の通信線とされる。このウェブサーバ２１、端末装置２４、及び遠隔制御スイッチ装置２０のそれぞれは、イーサネット（登録商標）などのネットワーク伝送路で構成されるローカルエリアネットワークＬＮに接続される。このように構成されるローカルバスネットワークとローカルエリアネットワークＬＮとによって、上位ネットワークが構成され、ウェブサーバ２１、端末装置２４、及び遠隔制御スイッチ装置２０それぞれにより、下位ネットワークＮ１〜Ｎｎの制御及び管理が為される。
【００３２】
このように構成される上位ネットワークにおいて、ローカルバスネットワークでは、ＬＩＵ２３がＮＣＵ２２の端末装置として機能する。又、上位ネットワークの一部であるローカルエリアネットワークＬＮにおいて、端末装置２４及び遠隔制御スイッチ装置２０のそれぞれがウェブサーバ２１の端末装置となるホストシステムが、構成される。そして、ローカルエリアネットワークＬＮにおけるホストシステムは、ローカルバスネットワークを介して、下位ネットワークＮ１〜Ｎｎにおける制御端末装置１３への制御指令を与えるとともに、下位ネットワークＮ１〜Ｎｎにおける負荷機器１４の動作状態を受信して管理できる。
【００３３】
ホストシステムより下位ネットワークＮ１〜Ｎｎへ制御端末装置１３の制御指令を与えるときの動作について、以下に説明する。ローカルエリアネットワークＬＮによるホストシステムでは、遠隔制御スイッチ装置２０、ウェブサーバ２１、及び端末装置２４それぞれに対して、それぞれを識別するためのＩＰアドレスが割り当てられている。よって、遠隔制御スイッチ装置２０及び端末装置２４は、ウェブサーバ２１のＩＰアドレスを指定することで、受け付けた操作に応じた制御指令による情報をウェブサーバ２１に送信する。又、この制御指令の情報については、ウェブサーバ２１が直接操作されることによっても、ウェブサーバ２１に与えられる。
【００３４】
ウェブサーバ２１は、取得した制御指令の情報を解析することで、制御対象となる負荷機器１４を有する下位ネットワークＮｋ（ｋは、１≦ｋ≦ｎの自然数）及び制御端末装置１３のアドレスと、負荷機器１４への制御内容とを認識する。このとき、下位ネットワークＮｋについて、１つ以上の複数の下位ネットワークが指定されるとともに、この指定された下位ネットワークそれぞれについて、制御対象となる制御端末装置１３のアドレスが指定される。そして、ウェブサーバ２１は、認識した下位ネットワークＮｋ及び制御端末装置１３のアドレスを指定するとともに負荷機器１４への制御内容を示す制御信号を生成して、通信線Ｌｕを介してＮＣＵ２２に送信する。
【００３５】
ＮＣＵ２２では、通信線Ｌｕを通じて、ウェブサーバ２１からの制御信号を受信すると、指定される下位ネットワークＮｋにおけるＬＩＵ２３に対して、専用線Ｌｔを通じて、制御対象となる負荷機器１４を制御するための制御データを送信する。よって、ＬＩＵ２３は、上述の下位ネットワークにおける動作で説明したように、ＣＰＵ１０からの時分割多重信号に同期させた割込信号を送信して割込を行うことで、制御対象となる負荷機器１４の動作状態を、ＣＰＵ１０及び制御端末装置１３を介して制御する。
【００３６】
一方、負荷機器１４の動作状態を示す監視データを獲得したＬＩＵ２３は、専用線Ｌｔを通じて、上述したように、ＮＣＵ２２に送信する。よって、ＮＣＵ２２は、ＬＩＵ２３より監視データを受信することで、下位ネットワークＮ１〜Ｎｎそれぞれにおける負荷機器１４の動作状態を認識する。そして、ＮＵＣ２２は、下位ネットワークＮ１〜ＮｎそれぞれのＬＩＵ２３から通知された、下位ネットワークＮ１〜Ｎｎそれぞれにおける負荷機器１４の動作状態について、通信線Ｌｕを通じてウェブサーバ２１に通知する。
【００３７】
よって、ウェブサーバ２１は、ＮＣＵ２２からの通知に基づいて、下位ネットワークＮ１〜Ｎｎそれぞれにおける負荷機器１４の動作状態を認識して記憶できる。このとき、ウェブサーバ２１は、ＮＣＵ２２から負荷機器１４の動作状態の通知を受けたとき、通知された負荷機器１４を制御対象とする遠隔制御スイッチ装置２０に対して、そのＩＰアドレスを指定して、負荷機器１４の動作状態を通知する。又、端末装置２４は、ウェブサーバ２１にアクセスして、下位ネットワークＮ１〜Ｎｎそれぞれにおける負荷機器１４の動作状態を示す情報をダウンロードすることができる。
【００３８】
４．遠隔制御スイッチ装置
上位ネットワークを構成するローカルエリアネットワークＬＮに接続される、遠隔制御スイッチ装置２０は、図２に示すように、ローカルエリアネットワークＬＮの伝送路と接続するためのＬＡＮインターフェース２０１と、外部からの操作を受け付けるスイッチ部２０２と、スイッチ部２０２で受け付けた操作に基づいた制御指令を生成する制御部２０３と、対象とする負荷機器１４を指定するための情報や割り当てられたＩＰアドレスなどを記憶したメモリ部２０４と、対象とする負荷機器１４の動作状態を外部に報知する報知部２０５と、遠隔制御スイッチ装置２０内の各ブロックに電力を供給する電源部２０６と、を備える。
【００３９】
このように構成される遠隔制御スイッチ装置２０は、ＬＡＮインターフェース２０１にローカルエリアネットワークＬＮの伝送路が接続されることで、ローカルエリアネットワークＬＮ上のウェブサーバ２１及び端末装置２４と通信できる。又、メモリ部２０４には、初期値となるＩＰアドレスが記憶されている。よって、遠隔制御スイッチ装置２０がローカルエリアネットワークＬＮに接続されたときは、この初期値となるＩＰアドレスを指定することで、ウェブサーバ２１又は端末装置２４から遠隔制御スイッチ装置２０へアクセスされる。尚、このローカルエリアネットワークＬＮで設定されるＩＰアドレスは、例えば、ＩＰｖ６に準拠するものとすることで、ＩＰアドレスの設定可能な制限数が多くなる。
【００４０】
即ち、ウェブサーバ２１又は端末装置２４は、ウェブブラウザを起動するなどして、初期値となるＩＰアドレスを指定し、遠隔制御スイッチ装置２０にアクセスする。このとき、ウェブサーバ２１又は端末装置２４を通じて、遠隔制御スイッチ装置２０のＩＰアドレスが設定されるとともに、ウェブサーバ２１のＩＰアドレスが遠隔制御スイッチ装置２０に通知される。よって、遠隔制御スイッチ装置２０は、新たに設定された自機器のＩＰアドレスと、制御指令を送信する相手となるウェブサーバ２１のＩＰアドレスとを、ＬＡＮインターフェース２０１で受信すると、制御部２０３を通じてメモリ部２０４に記憶する。
【００４１】
スイッチ部２０２は、１つ以上の複数のスイッチによって構成される。例えば、負荷機器１４が照明装置であり、電源ＯＮ／ＯＦＦが制御端末装置１３によって制御される場合、スイッチ部２０２を構成する各スイッチが操作されて、負荷機器１４となる照明装置の電源ＯＮ／ＯＦＦを示す制御指令が、制御部２０３で生成される。このとき、スイッチ部２０２において、１つのスイッチが１つの負荷機器１４に対応するものに限らず、１つのスイッチが複数の負荷機器１４に対応するものであってもよい。このとき、スイッチ部２０２を構成するスイッチそれぞれに対応した負荷機器１４を指定するための情報が、メモリ部２０４に記憶されている。即ち、メモリ部２０４は、スイッチ部２０２を構成するスイッチそれぞれに対して、その制御対象となる負荷機器１４が設置された下位ネットワークＮｋと、その負荷機器１４を制御する制御端末装置１３のアドレスとを記憶する。
【００４２】
このスイッチ部２０２におけるスイッチそれぞれに対応した負荷機器１４の情報は、遠隔制御スイッチ装置２０にアクセスしているウェブサーバ２１又は端末装置２４が操作されることで、遠隔制御スイッチ装置２０に送信される。よって、ＩＰアドレスをメモリ部２０４に記憶するときと同様、ＬＡＮインターフェース２０１で、ウェブサーバ２１又は端末装置２４から送信された制御対象となる負荷機器１４の情報を受信すると、制御部２０３が、この制御対象となる負荷機器１４の情報を、スイッチ部２０２における各スイッチに関連づけて、メモリ部２０４に記憶する。
【００４３】
報知部２０５は、発光ダイオード又は液晶パネルなどで構成し、制御対象となる負荷機器１４の動作状態を表示するものであってもよいし、スピーカ又はブザーなどで構成し、制御対象となる負荷機器１４の動作状態を音声出力するものであってもよい。以下では、報知部２０５を発光ダイオードとした場合の構成を例に挙げて、報知部２０５の動作を説明する。このとき、報知部２０５を構成する発光ダイオードは、スイッチ部２０２を構成するスイッチ毎に設けられて、各スイッチに対応した負荷機器１４の動作状態を示す。例えば、負荷機器１４を照明装置としたとき、報知部２０５を構成する発光ダイオードが、負荷機器１４が電源ＯＮとなったときに点灯し、負荷機器１４が電源ＯＦＦとなったときに消灯するものとすることで、制御対象となる負荷機器１４の動作状態を報知部２０５で報知できる。
【００４４】
このように構成することで、スイッチ部２０２が操作されて、対象となる負荷機器１４の制御指令が制御部２０３で生成されて、ＬＡＮインターフェース２０１より送信されると、制御指令に基づく制御データが下位ネットワークＮｋのＣＰＵ１０より制御端末装置１３に送信され、負荷機器１４の動作が制御される。そして、負荷機器１４の動作状態を示す監視データが、制御端末装置１３よりＣＰＵ１０を介してＬＩＵ２３に与えられると、ＮＣＵ２２を通じて、下位ネットワークＮｋにおける負荷機器１４の動作状態が、ウェブサーバ２１に通知される。よって、ウェブサーバ２１は、ＮＣＵ２２より通知された負荷機器１４の動作状態を、その負荷機器１４を制御するために対応させた、遠隔制御スイッチ装置２０に送信する。
【００４５】
遠隔制御スイッチ装置２０は、ウェブサーバ２１から通知される、負荷機器１４の動作状態を、ＬＡＮインターフェース２０１で受信すると、制御部２０３が、通知された負荷機器１４に対応した報知部２０５における発光ダイオードの点灯／消灯を制御する。即ち、遠隔制御スイッチ装置２０において、スイッチ部２０２において、下位ネットワークＮｋにおける制御対象の負荷機器１４を電源ＯＮとする操作が受け付けられると、下位ネットワークＮｋにおける対象の負荷機器１４が電源ＯＮとなる。そして、遠隔制御スイッチ装置２０は、この負荷機器１４が電源ＯＮとなったことが、ＮＣＵ２２及びウェブサーバ２１を介して通知されるため、報知部２０５において、電源ＯＮとなった負荷機器１４に対応する発光ダイオードを点灯させる。逆に、スイッチ部２０２が操作されて、制御対象の負荷機器１４が電源ＯＦＦとされた場合は、報知部２０５における、制御対象の負荷機器１４に対応する発光ダイオードが消灯する。
【００４６】
（第１構成例）
このような遠隔制御スイッチ装置２０の第１構成例について、図３を参照して以下に説明する。図３は、本構成例における遠隔制御スイッチ装置の外観を示す図であり、（ａ）が遠隔制御スイッチ装置の上面から見た構成を、（ｂ）が遠隔制御スイッチ装置の背面から見た構成を、（ｃ）が遠隔制御スイッチ装置の端面から見た構成を示す。本構成例における遠隔制御スイッチ装置２０は、卓上などに載置できる構成とされる。
【００４７】
本構成例における遠隔制御スイッチ装置２０は、図３（ａ）に示すように、その上面に、スイッチ部２０２を構成する複数の操作スイッチ２０２ａ〜２０２ｄが設置される。この操作スイッチ２０２ａ〜２０２ｄそれぞれには、その内部に報知部２０５となる発光ダイオードが埋設されている。そして、図３（ｂ）に示すように、遠隔制御スイッチ２０は、その背面に、メモリ部２０４に記憶された内容を初期値にリセットするためのリセットスイッチ２１０と、各種設定の受付を指示するための設定用スイッチ２１１とを備える。又、図３（ｃ）に示すように、遠隔制御スイッチ装置２０は、その一方の端面に、ローカルエリアネットワークＬＮの伝送路と接続されるＬＡＮ接続用端子２１２を備える。
【００４８】
リセットスイッチ２１０が操作されることによって、メモリ部２０４に記憶された制御対象となる負荷機器１４に関する情報が消去されるとともに、遠隔制御スイッチ装置２０に対して設定されたＩＰアドレスが初期値に設定される。又、設定用スイッチ２１１が操作されることで、遠隔制御スイッチ装置２０は、ローカルエリアネットワークＬＮ上のウェブサーバ２１又は端末装置２４からの設定が可能な状態となる。即ち、遠隔制御スイッチ装置２０は、設定用スイッチ２１１の操作により設定可能な状態とされたときに、メモリ部２０４の記憶内容の更新が可能となる。このとき、ウェブサーバ２１又は端末装置２４より、制御対象となる負荷機器１４に関する情報や、遠隔制御スイッチ装置２０に割り当てたＩＰアドレスを受信すると、メモリ部２０４の記憶内容を、受信した情報に更新する。
【００４９】
本構成例では、ローカルエリアネットワークＬＮは、ＰｏＥ（Power over Ethernet）などのように電力伝送可能な伝送路で構成されるものとする。そのため、遠隔制御スイッチ装置２０において、ＬＡＮ接続用端子２１２が、ＬＡＮインターフェース２０１及び電源部２０６と接続される。よって、遠隔制御スイッチ装置２０は、ローカルエリアネットワークＬＮの伝送路にＬＡＮ接続用端子２１２が接続されることで、ＬＡＮインターフェース２０１によるローカルエリアネットワークＬＮ上の通信を行うとともに、電源部２０６への電力供給がなされる。
【００５０】
（第２構成例）
上述の遠隔制御スイッチ装置２０の第２構成例について、図４を参照して以下に説明する。図４は、本構成例における遠隔制御スイッチ装置の外観を示す図であり、（ａ）が遠隔制御スイッチ装置の表面から見た構成を、（ｂ）が遠隔制御スイッチ装置の背面から見た構成を示す。本構成例における遠隔制御スイッチ装置２０は、壁面へ取り付け可能な構成とされる。又、本構成例においても、第１構成例と同様、ローカルエリアネットワークＬＮは、電力伝送可能な伝送路で構成される。
【００５１】
本構成例における遠隔制御スイッチ装置２０は、図４（ａ）に示すように、その表面に、スイッチ部２０２を構成する複数の操作スイッチ２０２Ａ〜２０２Ｄが設置される。そして、報知部２０５となる発光ダイオードが埋設された負荷状態表示部２０５Ａ〜２０５Ｄ，２０５ａ〜２０５ｄが、この操作スイッチ２０２Ａ〜２０２Ｄそれぞれの近接位置に設置される。このとき、負荷状態表示部２０５Ａ〜２０５Ｄは、その埋設された発光ダイオードが点灯することにより、制御対象となる負荷機器１４が電源ＯＮの状態であることを示す。又、負荷状態表示部２０５ａ〜２０５ｄは、その埋設された発光ダイオードが点灯することにより、制御対象となる負荷機器１４が電源ＯＦＦの状態であることを示す。
【００５２】
この遠隔制御スイッチ装置２０は、図４（ａ）に示すように、設定可能な状態とするための設定用スイッチ２１１も、その表面に備える。そして、図４（ｂ）に示すように、遠隔制御スイッチ装置２０は、その背面に、メモリ部２０４をリセットするためのリセットスイッチ２１０と、ローカルエリアネットワークＬＮの伝送路と接続されるＬＡＮ接続用端子２１２と、を備える。このように構成される遠隔制御スイッチ装置２０は、第１構成例と同様、ＬＡＮ接続用端子２１２でローカルエリアネットワークＬＮに接続することで、ローカルエリアネットワークＬＮを通じて電源部２０６への電力供給がなされる。
【００５３】
このＬＡＮ接続用端子２１２がローカルエリアネットワークＬＮの伝送路に接続されると、設定用スイッチ２１１が操作されて、遠隔制御スイッチ装置２０が外部から設定可能な状態とされる。このとき、ウェブサーバ２１又は端末装置２４によって、制御対象となる負荷機器１４の情報及びＩＰアドレスが設定される。このようにして、遠隔制御スイッチ装置２０に対する設定が終了すると、その背面が壁面内部に埋設し、その全面が壁面より表出するように、遠隔制御スイッチ装置２０が壁面へ取り付けられる。又、設定用スイッチ２１１は、遠隔制御スイッチ装置２０の表面に設置されているため、遠隔制御スイッチ装置２０の背面部分を壁面内部に埋設した後でも、各種設定を行うことができる。
【００５４】
（第３構成例）
上述の遠隔制御スイッチ装置２０の第３構成例について、図５を参照して以下に説明する。図５は、本構成例における遠隔制御スイッチ装置の外観を示す図であり、（ａ）が遠隔制御スイッチ装置の上面から見た構成を、（ｂ）が遠隔制御スイッチ装置の背面から見た構成を、（ｃ）が遠隔制御スイッチ装置の端面から見た構成を示す。本構成例における遠隔制御スイッチ装置２０は、第１構成例と同様、卓上などに載置できる構成とされる。
【００５５】
本構成例における遠隔制御スイッチ装置２０は、第１構成例と同様、図５（ａ）に示すように、その上面に、報知部２０５となる発光ダイオードが埋設された操作スイッチ２０２ａ〜２０２ｄによって、スイッチ部２０２が構成される。そして、遠隔制御スイッチ２０は、その背面に、図５（ｂ）に示すように、リセットスイッチ２１０及び設定用スイッチ２１１に加えて、商用電源ＡＣと接続される電源用アダプタ端子２１３を備えるとともに、その一方の端面に、図５（ｃ）に示すように、ＬＡＮ接続用端子２１２を備える。このように構成することで、本構成例では、第１構成例と異なり、商用電源ＡＣと接続された電源用アダプタ端子２１３を介して、商用電源ＡＣから電源部２０６へ電力が供給される。
【００５６】
（第４構成例）
上述の遠隔制御スイッチ装置２０の第４構成例について、図６を参照して以下に説明する。図６は、本構成例における遠隔制御スイッチ装置の外観を示す図であり、（ａ）が遠隔制御スイッチ装置の表面から見た構成を、（ｂ）が遠隔制御スイッチ装置の背面から見た構成を示す。本構成例における遠隔制御スイッチ装置２０は、第２構成例と同様、壁面へ取り付け可能な構成とされる。
【００５７】
本構成例における遠隔制御スイッチ装置２０は、第２構成例と同様、図６（ａ）に示すように、その表面に、スイッチ部２０２を構成する複数の操作スイッチ２０２Ａ〜２０２Ｄと、報知部２０５を構成する負荷状態表示部２０５Ａ〜２０５Ｄ，２０５ａ〜２０５ｄと、設定用スイッチ２１１と、を備える。そして、遠隔制御スイッチ装置２０は、その背面に、図６（ｂ）に示すように、リセットスイッチ２１０及びＬＡＮ接続用端子２１２に加えて、商用電源ＡＣと接続される電源用端子２１４を備える。このように構成することで、本構成例では、第３構成例と異なり、商用電源ＡＣと接続された電源用端子２１４を介して、商用電源ＡＣから電源部２０６へ電力が供給される。
【００５８】
（第５構成例）
上述の遠隔制御スイッチ装置２０の第５構成例について、図７を参照して以下に説明する。図７は、本構成例における遠隔制御スイッチ装置の外観を示す図であり、（ａ）が遠隔制御スイッチ装置の上面から見た構成を、（ｂ）が遠隔制御スイッチ装置の背面から見た構成を、（ｃ）が遠隔制御スイッチ装置の端面から見た構成を示す。本構成例における遠隔制御スイッチ装置２０は、第１構成例と同様、卓上などに載置できる構成とされる。
【００５９】
本構成例における遠隔制御スイッチ装置２０は、第１構成例と同様、その上面に、図７（ａ）に示すように、操作スイッチ２０２ａ〜２０２ｄを備え、その背面に、図７（ｂ）に示すように、リセットスイッチ２１０及び設定用スイッチ２１１を備え、その一方の端面に、図７（ｃ）に示すように、ＬＡＮ接続用端子２１２を備える。更に、本構成例の遠隔制御スイッチ装置２０は、不図示の電池を搭載させるための電池ケースをその内部に搭載し、この電池ケースは、図７（ｂ）に示すように背面に設置されるカバー２１５によって覆われる。このように構成することで、本構成例では、第１構成例と異なり、不図示の電池ケースに搭載された電池が電源部２０６として機能する。
【００６０】
（第６構成例）
上述の遠隔制御スイッチ装置２０の第６構成例について、図８を参照して以下に説明する。図８は、本構成例における遠隔制御スイッチ装置の外観を示す図であり、（ａ）が遠隔制御スイッチ装置の上面から見た構成を、（ｂ）が遠隔制御スイッチ装置の背面から見た構成を、（ｃ）及び（ｄ）が遠隔制御スイッチ装置の端面から見た構成を示す。本構成例における遠隔制御スイッチ装置２０は、第１構成例と同様、卓上などに載置できる構成とされる。
【００６１】
本構成例における遠隔制御スイッチ装置２０は、第１構成例と同様、図８（ａ）に示すように、その上面に設けた操作スイッチ２０２ａ〜２０２ｄと、図８（ｂ）に示すように、その背面に設けたリセットスイッチ２１０及び設定用スイッチ２１１と、図８（ｃ）に示すように、その一方の端面に設けたＬＡＮ接続用端子２１２とに加えて、図８（ｄ）に示すように、その他方の端面に設けたユニバーサルシリアルバスに接続されるＵＳＢ端子２１６を更に備える。
【００６２】
このように構成することで、本構成例では、第１構成例と異なり、ＵＳＢ端子を備えたパーソナルコンピュータなどの電子機器に対して、電子機器のＵＳＢ端子にＵＳＢ端子２１６を接続することで、ＵＳＢ端子２１６を介して、電子機器から電源部２０６へ電力が供給される。又、本構成例において、ＵＳＢ端子２１６により電子機器に接続できる構成としているため、設定用スイッチ２１１により外部からの設定が可能となるとき、ＵＳＢ端子２１６で接続された電子機器によって、遠隔制御スイッチ装置２０の各種設定がなされるものとしてもよい。
【００６３】
＜第２の実施形態＞
本発明の第２の実施形態について、図面を参照して以下に説明する。図９は、本実施形態における遠隔制御監視システムの構成を示すブロック図である。図１０は、図９の遠隔制御監視システムにおける遠隔制御スイッチ装置の内部構成を示すブロック図である。尚、図９の構成において、図１の構成と同一の部分については、同一の符号を付してその詳細な説明は省略する。
【００６４】
本実施形態の遠隔制御監視システムは、図９に示すように、第１の実施形態の遠隔制御監視システム（図１参照）と異なり、上位ネットワークであるローカルエリアネットワークＬＮに接続された端末装置２４に対して、遠隔制御スイッチ装置２５が接続される構成となる。その他の構成については、下位ネットワークＮ１〜Ｎｎそれぞれが、ＣＰＵ１０、監視端末装置１１、制御端末装置１３、及びＬＩＵ２３によって構成され、上位ネットワークの一部であるローカルバスネットワークが、ウェブサーバ２１、ＮＣＵ２２、及びＬＩＵ２３によって構成されているように、第１の実施形態と同様である。よって、以下では、端末装置２４に接続される遠隔制御スイッチ装置２５について詳細に説明する。
【００６５】
遠隔制御スイッチ装置２５は、図１０に示すように、第１の実施形態の遠隔制御スイッチ装置２０（図２参照）と異なり、ＬＡＮインターフェース２０１の代わりに、端末装置２４のＵＳＢ端子と接続してデータの送受を行うＵＳＢインターフェース２０７を備えた構成となる。又、遠隔制御スイッチ装置２５は、ＵＳＢインターフェース２０７が電源部２０６と接続されており、このＵＳＢインターフェース２０７と接続されているＵＳＢ端子２１６が端末装置２４と接続されることで、端末装置２４から電源部２０６に電力が供給される。
【００６６】
このように構成される遠隔制御スイッチ装置２５は、ＵＳＢ端子２１６が端末装置２４のＵＳＢ端子に接続されることで、端末装置２４との間でデータの送受を行う。このとき、端末装置２４には、遠隔制御スイッチ装置２５を動作させるためのドライバ及びアプリケーションがインストールされる。そして、端末装置２４は、ドライバを起動させた状態で、アプリケーションを起動させることで、遠隔制御スイッチ装置２５に対して、スイッチ部２０２による制御対象となる負荷機器１４が設定される。この端末装置２４で起動されたアプリケーションにより遠隔制御スイッチ装置２５の設定が行われるとき、その制御対象とする負荷機器１４を指定するために、端末装置２４がウェブサーバ２１と通信するものとしてもよい。
【００６７】
このように、端末装置２４によって設定された遠隔制御スイッチ装置２５は、遠隔制御スイッチ装置２５用のドライバが端末装置２４のメモリに常駐して駆動されることで、ＵＳＢインターフェース２０７による、端末装置２４との通信が可能な状態とされる。よって、スイッチ部２０２が操作されると、制御対象となる負荷機器１４の動作を制御するための制御指令が、制御部２０３で生成された後、ＵＳＢインターフェース２０７より端末装置２４に送信される。そして、端末装置２４は、ウェブサーバ２１に自動的にアクセスして、遠隔制御スイッチ装置２５からの制御指令をウェブサーバ２１に送信する。
【００６８】
一方、端末装置２４が、ウェブサーバ２１より、制御対象となる負荷機器１４の動作状態を受信すると、この制御対象となる負荷機器１４の動作状態を、遠隔制御スイッチ装置２５に送信する。よって、遠隔制御スイッチ装置２５は、制御対象となる負荷機器１４の動作状態をＵＳＢインターフェース２０７で受信し、制御部２０３によって報知部２０５を動作させ、受けた負荷機器１４の動作状態を報知させることができる。このように、遠隔制御スイッチ装置２５において、スイッチ部２０２に対して制御対象となる負荷機器１４に関する情報が、メモリ部２０４に記憶される。そのため、別の端末装置２４に遠隔制御スイッチ装置２５が接続されても、その遠隔制御スイッチ２５が記憶した制御対象となる負荷機器１４の動作を遠隔制御できる。
【００６９】
尚、スイッチ部２０２に対して制御対象となる負荷機器１４に関する情報は、端末装置２４に記憶されるものとしてもよい。このとき、遠隔制御スイッチ装置２５のスイッチ部２０２が操作されると、その操作に応じた情報がＵＳＢインターフェース２０７から端末装置２４に与えられる。端末装置２４では、遠隔制御スイッチ装置２５より与えられた情報に基づいて、対応する負荷機器１４に対する制御指令を生成して、ウェブサーバ２１に送信する。このように構成することで、遠隔制御スイッチ装置２５に記憶させる情報量を低減できるため、遠隔制御スイッチ装置２５を更に小型化することができる。又、遠隔制御の対象となる負荷機器１４を設定した端末装置２４に対して、異なる遠隔制御スイッチ装置２５を接続したとしても、この端末装置２４によって、設定した同一の負荷機器１４を遠隔制御することができる。
【００７０】
このような遠隔制御スイッチ装置２５の構成例を、図１１を参照して以下に説明する。図３は、本構成例における遠隔制御スイッチ装置の外観を示す図であり、（ａ）が遠隔制御スイッチ装置の上面から見た構成を、（ｂ）が遠隔制御スイッチ装置の背面から見た構成を、（ｃ）が遠隔制御スイッチ装置の端面から見た構成を示す。本構成例における遠隔制御スイッチ装置２５は、卓上などに載置できる構成とされる。
【００７１】
本構成例における遠隔制御スイッチ装置２５は、図１１（ａ）に示すように、その上面に、その上面に、報知部２０５となる発光ダイオードが埋設された操作スイッチ２０２ａ〜２０２ｄによって、スイッチ部２０２が構成される。そして、遠隔制御スイッチ装置２５は、図１１（ｂ）に示すように、その背面に、メモリ部２０４をリセットするためのリセットスイッチ２１０と、端末装置２４による設定を可能とするための設定用スイッチ２１１とを備える。又、遠隔制御スイッチ装置２５は、図１１（ｃ）に示すように、その一方の端面に、端末装置２４のＵＳＢ端子と接続されるＵＳＢ端子２１６を備える。
【符号の説明】
【００７２】
１０              中央制御装置（ＣＰＵ）
１１              監視端末装置
１２              操作スイッチ
１３              制御端末装置
１４              負荷機器
２０，２５        遠隔制御スイッチ装置
２１              ウェブサーバ
２２              ネットワーク制御装置（ＮＣＵ）
２３              ローカル制御装置（ＬＩＵ）
２４              端末装置
２０１            ＬＡＮインターフェース
２０２            スイッチ部
２０３            制御部
２０４            メモリ部
２０５            報知部
２０６            電源部
２０７            ＵＳＢインターフェース
【図１】
2010199777.tif 000003
【図２】
2010199777.tif 000004
【図３】
2010199777.tif 000005
【図４】
2010199777.tif 000006
【図５】
2010199777.tif 000007
【図６】
2010199777.tif 000008
【図７】
2010199777.tif 000009
【図８】
2010199777.tif 000010
【図９】
2010199777.tif 000011
【図１０】
2010199777.tif 000012
【図１１】
2010199777.tif 000013